(57)【要約】【課題】  締結機能と制振機能とを併せ持つボルトを提供する。【解決手段】  ボルト２５０は、締結部材に設けられためねじに係合するおねじ部２５２と、質量系のマス部材２５４と、ダンパー系のゴム部材２５６と、ボルト本体部２５８とから構成される。マス部材２５４の質量や形状およびゴム部材２５６の硬度は、このボルト２５０が使用される部位において発生する振動を効率的に制振するように決定される。ボルト本体部２５８とゴム部材２５６は接着加硫または圧入により固定され、マス部材２５４とゴム部材２５６とは、接着加硫にて固定される。【選択図】        図４
2005147226.tif 000002
【特許請求の範囲】
【請求項１】
めねじと係合するおねじ部と、
治具にて前記おねじ部が回転可能に把持されるような形状を有する端部と、
前記端部とは反対側の端部に設けられた減衰部とを含む、減衰機能付き締結部材。
【請求項２】
前記減衰部は、マス部材とゴム部材とを含む、請求項１に記載の減衰機能付き締結部材。
【請求項３】
前記減衰部は、前記反対側の端部から予め定められた長さ以上くりぬかれて形成された内筒部に、前記マス部材と前記ゴム部材とが挿入されて構成される、請求項２に記載の減衰機能付き締結部材。
【請求項４】
前記減衰部は、前記内筒部の外周側に設けられた中空円筒形状のゴム部材と、前記ゴム部材の中空円筒に設けられたマス部材とで構成される、請求項３に記載の減衰機能付き締結部材。
【請求項５】
前記減衰部は、前記端部の側において、前記ゴム部材が前記マス部材を覆う構造を有する、請求項４に記載の減衰機能付き締結部材。
【請求項６】
エンジンユニット側に取り付けられるエンジンユニット取付部と、
車体側に取り付けられるマウント部と、
前記エンジンユニット取付部と前記マウント部とを連結するマウントインナー部材とを含む防振装置であって、
前記マウントインナー部材を、請求項１〜５のいずれかに記載の減衰機能付き締結部材により締結した、防振装置。
【発明の詳細な説明】
【技術分野】
【０００１】
本発明は、車両において振動を減衰させる部位に用いられる締結部材およびその締結部材を用いた防振装置に関し、特に、車両一般に用いられるコンパクトな減衰機能付き締結部材およびエンジンユニットと車体とを間に介在されてエンジンユニットから車体へ伝達される振動を低減する防振装置に関する。
【背景技術】
【０００２】
車両にエンジンを搭載するにあたっては、エンジンからの振動を車体に伝えないようにして、車両の搭乗者への不快感を低減させる必要がある。このため、このような部位においてはダイナミックダンパーとよばれる制振部材が用いられる。
【０００３】
このような制振部材は、振動が大きく伝達される近傍に設けられるのが好ましい。その一方、車両の設計上、そのような場所に制振部材を設けることができない場合もある。
【０００４】
特開平１０−２６７０８４号公報（特許文献１）は、ダイナミックダンパーの取り付けを簡単にするとともに、その取付スペースを小さくし、しかも、汎用的な形状でかつマスの小さいダイナミックダンパーで十分な振動低減効果を得ることができる防振装置を開示する。この防振装置は、エンジンユニット側に取り付けられるエンジンユニット取付部と、外筒と内筒との間に弾性体が介装されて車体側に取り付けられるマウントインシュレータと、内筒に挿着されるピン部を有してエンジンユニット取付部に固着される連結部とを備えた防振装置であって、マウントインシュレータのエンジンユニットから離間する側にダイナミックダンパーを取り付けたものである。
【０００５】
この防振装置によると、ダイナミックダンパーがマウントインシュレータのエンジンユニットから離間する側、すなわち、ピン部先端側で振動の振幅が最も大きい位置に取り付けられているため、ダイナミックダンパーを最も効果的に機能させることができ、この結果、マスが小さいダイナミックダンパーでも十分な音振低減効果を得ることができる。また、ダイナミックダンパーのマスが小さくて済むことから、ダイナミックダンパーの取付スペースを小さくすることができ、しかも、ダイナミックダンパーを取付スペースの制約をあまり受けないマウントインシュレータのエンジンから離間する側に取り付けているため、ダイナミックダンパーの取付作業の容易化を図ることができる。さらに、取付スペースの制約をあまり受けないマウントインシュレータのエンジンから離間する側にダイナミックダンパーを取り付ける構造である。このため、ダイナミックダンパーの形状の自由度が増して従来のような特殊な形状のダイナミックダンパーを用いる必要をなくすことができる。
【特許文献１】特開平１０−２６７０８４号公報
【発明の開示】
【発明が解決しようとする課題】
【０００６】
しかしながら、特許文献１の図から明らかなように、円筒形ダイナミックダンパーはピン部にボルトにより締結されている。このため、ダイナミックダンパーと締結部材（ボルト）とが別体の物であって、十分なスペースを確保できない場合には、このように、ダイナミックダンパーと締結部材とが別体の物として構成することが困難である場合もあり得る。
【０００７】
本発明は、上述の課題を解決するためになされたものであって、その目的は、減衰機能を発現させ、かつ部材間の締結機能を発現する、減衰機能付き締結部材およびその締結部材を用いた防振装置を提供することである。
【課題を解決するための手段】
【０００８】
第１の発明に係る減衰機能付き締結部材は、めねじと係合するおねじ部と、治具にておねじ部が回転可能に把持されるような形状を有する端部と、端部とは反対側の端部に設けられた減衰部とを含む。
【０００９】
第１の発明によると、たとえば、エンジンユニット側に取り付けられるエンジンユニット取付部と、車体側に取り付けられるマウント部と、エンジンユニット取付部とマウント部とを連結するマウントインナー部材とを含む防振装置において、マウントインナー部材を減衰機能付き締結部材により締結する。マウントインナー部材にはめねじが設けられ、減衰機能付き締結部材のおねじ部と係合して締結される。このとき、端部が六角形の形状にするとスパナで容易におねじ部をめねじにねじ込むことができる。端部である六角形の反対側には、たとえばマス部材とゴム部材とから構成される減衰部が設けられているので、エンジンの振動がマウント（車体側）に伝わることが回避される。このようにして、締結部材であるたとえば六角ボルトの中に減衰機能を埋め込んであるので、締結するとともに、減衰機能を発現させることができる。その結果、減衰機能を発現させ、かつ部材間の締結機能を発現する、減衰機能付き締結部材を提供することができる。
【００１０】
第２の発明に係る減衰機能付き締結部材においては、第１の発明の構成に加えて、減衰部は、マス部材とゴム部材とを含む。
【００１１】
第２の発明によると、マス部材（質量系）とゴム部材（ダンパー系）とを用いて、それぞれの部位に適した減衰度等を得ることができる。
【００１２】
第３の発明に係る減衰機能付き締結部材においては、第２の発明の構成に加えて、減衰部は、反対側の端部から予め定められた長さ以上くりぬかれて形成された内筒部に、マス部材とゴム部材とが挿入されて構成されるものである。
【００１３】
第３の発明によると、六角ボルトの頭部とは反対側の端部から、おねじ部の内側を円筒状にくりぬく。このくりぬいた内側の円筒部に、マス部材（質量系）とゴム部材（ダンパー系）とから構成される減衰部を設ける。このため、必要な減衰度に応じてマス材の形状および質量を、ゴム材の硬度を、それぞれ設定して、それらの量から円筒部の長さを算出して、それにマス材とゴム材とを挿入して減衰部を形成することができる。
【００１４】
第４の発明に係る減衰機能付き締結部材においては、第３の発明の構成に加えて、減衰部は、内筒部の外周側に設けられた中空円筒形状のゴム部材と、ゴム部材の中空円筒に設けられたマス部材とで構成されるものである。
【００１５】
第４の発明によると、内筒部の外側にゴム部材を設け、そのゴム部材の内側にマス部材を設けて、減衰部を形成することができる。
【００１６】
第５の発明に係る減衰機能付き締結部材においては、第４の発明の構成に加えて、減衰部は、端部の側において、ゴム部材がマス部材を覆う構造を有するものである。
【００１７】
第５の発明によると、内筒部の開放側（すなわち六角ボルトの頭部側）において、ゴム部材によりマス部材が覆われて、減衰機能を発現させることができる。
【００１８】
第６の発明に係る防振装置は、第１〜５のいずれかに記載の減衰機能付き締結部材を用いた防振装置であって、エンジンユニット側に取り付けられるエンジンユニット取付部と、車体側に取り付けられるマウント部と、エンジンユニット取付部とマウント部とを連結するマウントインナー部材とを含む。マウントインナー部材は、第１〜５のいずれかに記載の減衰機能付き締結部材により締結されるものである。
【００１９】
第６の発明によると、エンジンユニット側に取り付けられるエンジンユニット取付部と、車体側に取り付けられるマウント部と、エンジンユニット取付部とマウント部とを連結するマウントインナー部材とを含む防振装置において、マウントインナー部材を減衰機能付き締結部材により締結する。マウントインナー部材にはめねじが設けられ、減衰機能付き締結部材のおねじ部と係合して締結される。このとき、端部が六角形の形状にするとスパナで容易におねじ部をめねじにねじ込むことができる。端部である六角形の反対側には、たとえばマス部材とゴム部材とから構成される減衰部が設けられているので、エンジンの振動がマウント（車体側）に伝わることが回避される。このようにして、締結部材であるたとえば六角ボルトの中に減衰機能を埋め込んであるので、締結するとともに、減衰機能を発現させることができる。その結果、減衰機能を発現させ、かつ部材間の締結機能を発現する、減衰機能付き締結部材を用いた防振装置を提供することができる。
【発明を実施するための最良の形態】
【００２０】
以下、図面を参照しつつ、本発明の実施の形態について説明する。以下の説明では、同一の部品には同一の符号を付してある。それらの名称および機能も同じである。したがってそれらについての詳細な説明は繰返さない。
【００２１】
図１は、本発明の実施の形態に係る防振装置を説明するための分解斜視図であって、図２は、図１の防振装置を車体の正面側から見た図であって、図３は、図１の要部断面図であって、図４はボルトの断面図である。
【００２２】
なお、本実施の形態においては、車幅方向の右側にエンジンを配置して車両に搭載されたパワーユニット（エンジン）と、車体側サイドメンバとの間に配設された防振装置について説明する。
【００２３】
なお、本発明に係る減衰機能付き締結部材は図４に示すボルトであるが、この減衰機能付き締結部材は以下に示す防振装置のみに適しているものではない。以下に示す防振装置以外において、締結機能と制振機能とを同時に必要とする様々な部位に用いることができる。
【００２４】
図１および図２を参照して、この防振装置１０は、エンジン２０と車体側サイドメンバ３０との間に配設される。この防振装置１０は、エンジン２０に固定されたエンジンユニット取付部５０と、外筒６０と内筒７０との間にマウントラバー（弾性体）８０が介装されて車体側サイドメンバ３０に固定されたマウントインシュレータ９０と、内筒７０に挿着されるピン部１００を有してエンジンユニット取付部５０に固着された連結部１１０と、マウントインシュレータ９０を車体側サイドメンバ３０に固定するために取付フランジ６２を介してピン部１００を締結するボルト２５０とを備える。
【００２５】
エンジンユニット取付部５０は、エンジン２０の車幅方向の右側部にボルト１３０を介して固定された基板１４０と、基板１４０の上端部から車幅方向右側に水平に延びた連結部台座１５０とを備える。連結部台座１５０の上面は平坦面とされており、その平坦面には、連結部１１０をボルト止めするための複数のねじ穴が設けられている。
【００２６】
マウントインシュレータ９０は、大きい径の円筒状の外筒６０と、外筒６０の内部に同心に配置された小さい径の円筒状の内筒７０とを備える。内筒７０は、軸方向の両端部が外筒６０から若干突出して配置されている。また、外筒６０と内筒７０との間にはマウントラバー８０が接着加硫により固定されている。
【００２７】
外筒６０の周方向の下側部両側には取付フランジ６２が固着されており、取付フランジ６２はボルト１８０によって車体側サイドメンバ３０に固定されている。固定状態においては、マウントインシュレータ９０はその軸心を車幅方向に向けた状態で連結部台座１５０の車幅方向右方位置に配置されている。
【００２８】
連結部１１０は、直方体の形状であって、その下面を車体側サイドメンバ３０側に対向させた状態で連結部台座１５０の上面に固着されている。連結部１１０には２個のボルト挿通穴２００が上述した連結部台座１５０のねじ穴に対応して形成されており、ボルト挿通穴２００に挿入されたボルト２１０を連結部台座１５０のねじ穴にねじ込むことにより、連結部１１０がエンジンユニット取付部５０の連結部台座１５０に固着されている。
【００２９】
連結部１１０の車体側サイドメンバ３０の対向面の略中央部には、車幅方向に沿って車体側サイドメンバ３０に向けて延びるピン部１００が形成されている。ピン部１００はマウントインシュレータ９０の内筒７０の内径より若干大きい径に形成されて内筒７０に圧入により挿着されている。挿着状態においては、ピン部１００の先端面は内筒７０のエンジン２０から離間する側の端面と略面一とされており、ボルト２５０が取付フランジ６２を通して、ピン部１００の先端面と締結される。
【００３０】
防振装置１０においては、エンジン２０と車体側サイドメンバ３０との相対振動をマウントインシュレータ９０のマウントラバー８０によって吸収して加減速時のエンジン騒音の車体側への伝達を遮断する。さらに、後述するように、ボルト２５０は制振機能を有するため、締結機能を発現しうるとともに、大きな低減効果を得ることができる。
【００３１】
図３に、図１および図２の要部断面図を示す。図３に示すように、ボルト２５０は、取付フランジ６２を通して、ピン部１００のねじ穴１０２（めねじ）に係合されて締結される。これにより、ピン部１００さらにはマウントインシュレータ９０は、取付フランジ６２を介して、車体側サイドメンバ３０に固着される。
【００３２】
図４に示すように、ボルト２５０は、おねじ部２５２と、マス部材２５４と、ゴム部材２５６と、ボルト本体部２５８とから構成される。このようなボルト２５０は、通常の六角ボルトの端部から長穴を開けて、その長穴の内部に、外周側にゴム部材２５６が、ゴム部材２５６の内部にマス部材が配設されるようにして形成される。このとき、ボルト２５０の頭部（六角形状側）において、ゴム部材２５６がマス部材２５４を覆うようにして、マス部材がボルト本体部２５８に接しないように構成されている。
【００３３】
このボルト２５０におけるマス部材２５４の質量や形状は、その使用される部位において発生する振動を効率的に制振するように（すなわち必要な周波数で必要な振動を減衰できるように）、決定される。また、このボルト２５０のゴム部材２５６の硬度についても、マス部材２５４の質量や形状と同様に、その使用される部位において発生する振動を効率的に制振するように決定される。
【００３４】
なお、ボルト本体部２５８とゴム部材２５６は接着加硫または圧入にて固定されている。マス部材２５４とゴム部材２５６とは、接着加硫にて固定されている。
【００３５】
以上のようにして、本実施の形態に係る防振装置によると、制振機能を有するボルトを用いて、必要な部位を締結した。このボルトには、その部位において発生する振動を抑制するに適したマス部材とゴム部材とがその内部に挿入されている。そのため、その挿入されたマス部材とゴム部材とによる制振機能を発現しうるとともに、必要な部材間を締結する機能をも同時に発現できる。
【００３６】
なお、上述した実施の形態において、ボルト２５０を、マウントインシュレータ９０の内筒７０のピン部１００のねじ穴１０２にねじ込むように説明したが、本発明に係る防振装置はマウントインシュレータ９０を有しないものであってもよいし、ボルト２５０はこのような防振装置１０以外において用いられてもよい。
【００３７】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００３８】
【図１】本発明の実施の形態に係る防振装置を説明するための分解斜視図である。
【図２】図１の防振装置を車体の正面側から見た図である。
【図３】図１の要部断面図である。
【図４】図１のボルトの断面図である。
【符号の説明】
【００３９】
１０  防振装置、２０  エンジン、３０  車体側サイドメンバ、５０  エンジンユニット取付部、６０  外筒、７０  内筒、８０  マウントラバー（弾性体）、９０  マウントインシュレータ、１００  ピン部、１０２  ねじ穴、１１０  連結部、２５０  ボルト、２５２  おねじ部、２５４  マス部材、２５６  ゴム部材、２５８  ボルト本体部。
【図１】
2005147226.tif 000003
【図２】
2005147226.tif 000004
【図３】
2005147226.tif 000005
【図４】
2005147226.tif 000006